(57)【特許請求の範囲】
【請求項１】
上下の緑化パネルと、壁体に竪材固定具で固定した左右の竪材と、左右の竪材に跨って上下の緑化パネルを並列に取り付けるパネル固定具とを備え、各緑化パネルは下部が上部よりも前方に出るように傾斜して取り付けており、パネル固定具の下面には受けた水を下緑化パネルに案内する水受け具を着脱自在に設けていることを特徴とする緑化パネル装置。
【請求項２】
上下の緑化パネルは互いに干渉しない位置に固定してあり、水受け具を取り付ける前または取り外した後に、上下の緑化パネルのいずれからも前方からパネル固定具に取り外し及び装着自在であることを特徴とする請求項１に記載の緑化パネル装置。
【請求項３】
上下の緑化パネルと、壁体に固定した左右の竪材と、左右の竪材に跨って各緑化パネルを並列に取り付けるパネル固定具とを備え、パネル固定具は左右の竪材間に取り付けた横方向に長尺の第１固定部材と、第１固定部材の下で竪材間に取り付けた横方向に長尺の左右の第２固定部材と、第２固定部材に係止した横方向に短尺の第３固定部材とを備え、第１固定部材は上緑化パネルの上部を係止する上パネル係止部と、下方が上方よりも前方に出るように傾斜し且つ上緑化パネルの上部裏面に当接する上部裏面当接部とを備え、第２固定部材は下緑化パネルの上部を係止可能な下緑化パネル係止部を備え、第３固定部材は上緑化パネルの下部を載置するパネル受け部と、下方が上方よりも前方に出るように傾斜し且つ上緑化パネルの下部裏面に当接する下部裏面当接部とを備え、各緑化パネルは下部が上部よりも前方に出るように傾斜して取り付けていることを特徴とする緑化パネル装置。
【発明の詳細な説明】
【０００１】
【発明の属する技術分野】
本発明は、植物を植える緑化パネルを道路の防音壁等の壁体に取り付ける緑化パネル装置に関する。
【０００２】
【従来の技術】
この種の緑化パネル装置として、例えば、特開平８−３０６４４６号公報には、地面に立設した支柱に竪材と横材を格子状に組み立て、上下の格子を垂直に形成して各格子に上下の緑化パネルを取り付ける技術が開示されている。各緑化パネルは、各緑化パネルは上部及び下部を垂直にして左右の竪材に固定している。
【０００３】
【発明が解決しようとする課題】
しかし、上述の公報に開示の技術では、支柱を地面に立てるとともに竪材及び横材を緑化パネルの寸法に適合した格子を形成するように組み立てる必要があり、施工に手間がかかるという問題がある。特に、支柱は、取り付けた緑化パネルの荷重を受けとめるため地面に頑丈に立てる必要があり、施工に手間がかかる。また、上下の緑化パネルは、垂直にして取り付けているので上緑化パネルの上部と下緑化パネルの下部とが隣接し、任意の緑化パネルの取り付けや取り外し作業がし難いため、メンテナンスがし難いという問題がある。
上下の緑化パネルは栽培面を垂直にしているので、日光や雨水を各緑化パネルが受け難く、栽培育成環境の向上が望まれている。
【０００４】
そこで、本発明は、施工及びメンテナンスが容易であるとともに植物育成環境の向上を図ることができる緑化パネル装置の提供を目的とする。
【０００５】
【課題を解決するための手段】
請求項１に記載の発明は、上下の緑化パネルと、壁体に竪材固定具で固定した左右の竪材と、左右の竪材に跨って上下の緑化パネルを並列に取り付けるパネル固定具とを備え、各緑化パネルは下部が上部よりも前方に出るように傾斜して取り付けており、パネル固定具の下面には受けた水を下緑化パネルに案内する水受け具を着脱自在に設けていることを特徴とする。
【０００６】
この請求項１に記載の発明では、緑化パネル装置の施工は、既存の壁体に左右の竪材を取り付け、左右の竪材に跨ってパネル固定具で上下の緑化パネルを取り付ける。パネル固定具は、上下の緑化パネルの下部を上部よりも前方に出るように傾斜して取り付け、パネル固定具の下面に水受け具を取り付ける。
竪材は既存の壁体に取り付け、別途地面に固定した支柱を設ける必要がないので、施工が容易である。
緑化パネルは下部が上部よりも前方に出るように傾斜している。従って、上下に設けた各緑化パネルはそれぞれが雨水や日光を受けやすく、栽培環境の向上を図ることができる。
パネル固定具の下面には水受け具を設け、水受け具が灌漑水や雨水等の水を下緑化パネルに案内しているから、簡易な構成で潅水を行うことができる。
水受け具はパネル固定具に脱着自在であるから、メンテナンス等の作業に邪魔になるときは取り外すことができるのでメンテナンスが容易である。
【０００７】
請求項２に記載の発明は、請求項１に記載の発明において、上下の緑化パネルは互いに干渉しない位置に固定してあり、水受け具を取り付ける前または取り外した後に、上下の緑化パネルのいずれからも前方からパネル固定具に取り外し及び装着自在であることを特徴とする。
【０００８】
この請求項２に記載の発明は、請求項１に記載の発明と同様な作用効果を奏するとともに、メンテナンス時に各緑化パネルを外すときには、緑化パネルのパネル受け部から水受け具を外し、各緑化パネルを前方から水平方向に移動して取り外しできる。したがって、各緑化パネルのいずれからも取り外しができ、取り外し順序に制限がないので作業性が良い。
メンテナンス時及び施工時のパネルの取り付けも、各緑化パネルを前方から水平方向に移動して取り付けでき、取り付け後に水受け具を装着する。したがって、各緑化パネルのいずれからも取り付けができ、取り付け順序に制限がないので、作業性が良い。
【０００９】
請求項３に記載の発明は、上下の緑化パネルと、壁体に固定した左右の竪材と、左右の竪材に跨って各緑化パネルを並列に取り付けるパネル固定具とを備え、パネル固定具は左右の竪材間に取り付けた横方向に長尺の第１固定部材と、第１固定部材の下で竪材間に取り付けた横方向に長尺の左右の第２固定部材と、第２固定部材に係止した横方向に短尺の第３固定部材とを備え、第１固定部材は上緑化パネルの上部を係止する上パネル係止部と、下方が上方よりも前方に出るように傾斜し且つ上緑化パネルの上部裏面に当接する上部裏面当接部とを備え、第２固定部材は下緑化パネルの上部を係止可能な下緑化パネル係止部を備え、第３固定部材は上緑化パネルの下部を載置するパネル受け部と、下方が上方よりも前方に出るように傾斜し且つ上緑化パネルの下部裏面に当接する下部裏面当接部とを備え、各緑化パネルは下部が上部よりも前方に出るように傾斜して取り付けていることを特徴とする。
【００１０】
この請求項３に記載の発明では、緑化パネル装置の施工は、既存の壁体に左右の竪材を取り付け、左右の竪材にパネル固定具を取り付ける。パネル固定具の取付は、第１固定部材を横長にして左右の竪材に取り付け、同様に第１固定部材の下に第２固定部材を横にして左右の竪材に取り付ける。次に、第２固定部材に第３固定部材を係止する。第２固定部材と第３固定部材とを上下に設ける緑化パネルの段数に応じて必要な数を取り付ける。
上下の緑化パネルの取り付けは、上緑化パネルの上部を第１固定部材の上パネル係止部に係合し、第３固定部材の下部裏面当接部に上緑化パネルの下部を載置して固定する。次に、下緑化パネルの上部を第２固定部材の下緑化パネル係止部に係合し、下緑化パネルの下部を対応する位置にある第３固定部材の下部裏面当接部に載置して固定する。
第１固定部材の上部裏面当接部と第３固定部材の下部裏面当接部とは下方が前方に出るように傾斜しているとともに、緑化パネルの栽培面は下部が上部よりも前方に出るように傾斜している。
竪材は既存の壁体に取り付け、別途地面に固定した支柱を設ける必要がないので、施工が容易である。
上緑化パネルは第１固定部材に係止し、下緑化パネルは第２固定部材に係止により固定しているので、各緑化パネルの取り付け及び取り外しが容易であり、施工し易く且つメンテナンスも容易である。
また、緑化パネルは下部が上部よりも前方に出るように傾斜してから、上下に設けた各緑化パネルはそれぞれが雨水や日光を受けやすく、栽培環境の向上を図ることができる。
緑化パネルの上下に第１〜第３の各固定部材を取り付ければよく、固定部材で緑化パネルの四方を囲む必要がないので、施工し易い。
【００１１】
【発明の実施の形態】
以下に、添付図面を参照して、本発明の実施の形態を詳細に説明する。図１は図３に示す緑化パネル装置の縦断面図であり、図２は図３に示す緑化パネル装置のＡ−Ａ断面図であり、図３は本発明の実施の形態にかかる緑化パネル装置の平面図である。
本実施の形態にかかる緑化パネル装置１は、上緑化パネル３と、下緑化パネル５と、壁体７に竪材固定具９で固定した左右の竪材１１、１１と、左右の竪材１１、１１に各緑化パネル３、５を取り付けるパネル固定具１３と、水受け具１５とを備えている。
各緑化パネル３、５はそれぞれ同一の構成であり、枠材を四方組みして形成した枠体１７の内周側に発泡スチロール材を有する断熱層１９、リサイクルガーデンブロックを用いた保水層２１、植物を植え込んだ栽培層２３が下からこの順序で積層されており、栽培層２３の上面は網材２５で押さえられている。
枠体１７の上枠材２７にはパネル固定具１３の上パネル係止部３１（後述する）に係止する被係止部２９が形成されており、上枠材２７が上パネル係止部３１に吊り下げるように係止されている。下枠材２８にはパネル固定具１３のパネル受け部３３に係合する載置部３５が設けられており、この載置部３５は下方に突設されている。
壁体７は、道路の防音壁であり、本発明の緑化パネル装置１は既存の防音壁に後付けできるようになっている。本実施の形態では、壁体７はパネル３７、３７とＨ形鋼３９とを備えており、Ｈ形鋼３９の左右両側の凹みにパネル３７、３７が保持されている。
竪材固定具９は、Ｈ形鋼３９とパネル３７との間に挿入した左右のブラケット４１、４１にボルト４３で竪材１１を固定している。本実施の形態では、壁体７が緑化パネル装置の加重を受けるので、竪材１１は地面に固定していない。
パネル固定具１３は、左右の竪材１１、１１間に取り付けた横方向に長尺の第１固定部材４７と、第１固定部材４７の下で竪材１１間に取り付けた横方向に長尺の第２固定部材４９と、第２固定部材４９に係止した横方向に短尺の第３固定部材５１とを備えている。
第１固定部材４７には、上パネル係止部３１と上部裏面当接部５３とが設けられており、上パネル係止部３１は上方に突設されており、この上パネル係止部３１に被係止部２９が上方から掛けられて係止されている。上部裏面当接部５３は上緑化パネル３の上部の裏面が当接されており、上方よりも下方が前方に出るように傾斜している。
第２固定部材４９は、竪材１１にボルト固定されており、第３固定部材５１との係合部５５と、下緑化パネル係止部５７とが設けられている。第３固定部材５１との係合部５５は、前方の上部及び下部にそれぞれ断面略コ字形状に設けられており、各係合部５５に後述する第３固定部材５１の被係合５９が噛み合っている。下緑化パネル係止部５７は、上方に突設されており、下緑化パネル５の被係止部２９が上方から掛けられている。
第３固定部材５１は、第２固定部材４９に係合する被係合部５９、５９と上緑化パネル３の下部を載置するパネル受け部３３と、下部裏面当接部６３と、水受け具１５の装着部６１とが設けられている。被係合部５９は、第２固定部材４９の上下において係合部５５に嵌合しており、第２固定部材４９に左右からスライドにより嵌合し、第２固定部材４９と第３固定部材５１とはねじ６５により固定されている。パネル受け部３３は、凹状に形成されており、凹部６７に上緑化パネル３の下端に設けた載置部３５を受け、仮置き可能に設けている。載置部３５はパネル受け部３３にボルト６９により固定されている。
第３固定部材５１の下面には、断面略Ｌ字形状の水受け具１５の装着部６１が設けられており、水受け具１５に形成された係止部７１に係合した状態でねじ７３により止められている。
水受け具１５は、底面１５ａが前方から後方に下がるように傾斜しており、前方は上緑化パネル３の栽培面３ａよりも前方に突出し、後方は下緑化パネル５の上部において栽培面５ａの上方に位置している。
【００１２】
次に、本実施の形態にかかる緑化パネル装置１の施工及び作用について説明する。緑化パネル装置１の施工は、既存の壁体７に左右の竪材１１をそれぞれパネル固定具１３で固定する。竪材１１の固定は、Ｈ型鋼３９の左右にブラケット４１、４１を挿入して竪材１１をブラケット４１、４１で挟み、ボルト４３で止める。
左右の竪材１１に第１固定部材４７を横長にしてボルト７２で固定し、同様に第１固定部材４７の下方において、第２固定部材４９を横長にして左右の竪材１１、１１にボルト７４で固定する。
次に、第２固定部材４９に短尺の第３固定部材５１を固定する。第３固定部材５１は、第２固定部材４９の前方にある係合部５５に第３固定部材５１の被係合部５９をスライド挿入して係合し、ねじ６５で固定する。第３固定部材５１は少なくとも上緑化パネル３の左右端側に取り付ける。
次に、上緑化パネル３の上部にある被係止部２９を第１固定部材４７の上パネル係止部３１に上から掛け、上緑化パネル３の下部にある載置部３５を第３固定部材のパネル受け部３３に仮置きし、この状態でパネル受け部３３の裏面からボルト６９で固定する。本実施の形態では、パネル受け部３３を凹み状とし載置部３５を凹みに嵌合する突部としているので、仮置き時に上緑化パネルの脱落を防止できる。
次に、第２固定部材４９の下緑化パネル係止部５７に下緑化パネル５の上部にある被係止部２９を上から吊り下げるように掛けて係止する。下緑化パネル５の下部は、上述した上緑化パネル３と同様に第３固定部材５１に載置して固定する。  各緑化パネル３、５を取り付け後、各第３固定部材５１の装着部６１に水受け具１５を係止し、ねじ７３で止める。
本実施の形態では、各パネル３、５はそれぞれ被係止部２９を係止部３１（又は５７）に掛けて第３固定部材５１に仮置きし、その状態でボルト留めにより簡単に固定することができ、施工が容易である。また、竪材１１は既存の壁体７に取り付けるので支柱は不用であり、施工が容易である。
各パネル３、５は下部が上部よりも前方に出るように傾斜しているので、上下の緑化パネルが干渉することなく日光や雨水を受けることができ、直物育成環境に優れる。また、潅水時には上緑化パネル３にのみに水をかければ、上緑化パネルを通った水を水受け具１５が受けて、下緑化パネル５に導くことができるので、潅水及び排水が簡易にできる。
メンテナンスにおいて、各緑化パネル３、５を取り外すときには、水受け具１５を外して、緑化パネル３、５の載置部３５を固定しているボルト６９を外す。上緑化パネル３では、上緑化パネル３を少し上に持ち上げるようにして被係止部２９を第１固定部材４７の上パネル係止部３１から外して、下緑化パネル５では第２固定部材４９の下緑化パネル係止部５７から外して、それぞれの緑化パネル３、５を前方に移動することにより各緑化パネル３、５外すことができる。この場合、上緑化パネル３のみを外したり、下緑化パネル５のみを外しても互いに干渉することなく、いずれかの緑化パネル３、５のみを選択的に取り外すことができ、メンテナンスし易い。
上下の緑化パネル３、５は、各緑化パネルの下部を上部よりも前方に出るように傾斜して取り付けているので、上緑化パネル３の下部と下緑化パネルの上部とが上下に重なっていないので、取り付け及び取り外しのための作業空間を確保しやすく、メンテナンスがし易い。
下緑化パネル５の下部を取り付ける第２固定部材４９と第３固定部材５１とを、上緑化パネル３の下部の取り付けにも用いているので、同一部品を使用でき、施工しやすくコストも低減できる。
高速道路等の既存の防音壁を緑化することにより、都市におけるヒートアイランド現象の削減や二酸化炭素の吸収、防音性能の向上やドライバーのストレス解消、更には衝突事故の緩衝材として機能させることができる。
【００１３】
本発明は、上述した実施の形態に限らず、本発明の趣旨を逸脱しない範囲で種々変形可能である。
例えば、第３固定部材５１は、各緑化パネル３、５の左右端側にのみ設けることに限らず、必要に応じて左右端の間に幾つ設けてもよい。
緑化パネル３及び５は上下に合計２段設けることに限らず、３段、４段等上下に幾つ設けてもよい。この場合、最上の緑化パネル３を取り付ける第１固定部材４７以外は全て第２固定部材４９及び第３固定部材５１で各下緑化パネル５を固定できるので、何段にしても同じ部品を使用することができる。
第３固定部材５１に設けた載置部３５は突状でなく凹み状とし、パネル受け部３３を凹み状とせずに突状として互いに嵌合させるものであってもよく、また両者は共に平坦にして嵌合しないものであってもよい。
壁体７は、道路の防音壁に限らず、建物の壁や塀の壁であってもよい。
【００１４】
【発明の効果】
請求項１に記載の発明によれば、竪材は既存の壁体に取り付け、別途地面に固定した支柱を設ける必要がなく、且つ既存の壁体を取り除くことなく施工できるので、施工が容易である。
緑化パネルは下部が上部よりも前方に出るように傾斜している。従って、上下に設けた各緑化パネルはそれぞれが雨水や日光を受けやすく、栽培環境の向上を図ることができる。
水受け具は、受けた水を下緑化パネルに案内しているから、下緑化パネルに潅水設備が不用であり、構成を簡易にできる。
水受け具はパネル固定具に脱着自在であるから、メンテナンス作業時に取り外すことにより作業の邪魔にならず、メンテナンスが容易にできる。
【００１５】
請求項２に記載の発明は、請求項１に記載の発明と同様な効果を奏するとともに、上下の緑化パネルは水平方向から見たときに上下に重ならない位置にあるから、緑化パネルのパネル受け部から水受け具を外し、各緑化パネルを水平方向に移動して取り外しや取り付けできるから、各緑化パネルのいずれからも取り外しや取り付けができ、取り外しや取り付け順序に制限がない。したがって、施工やメンテナンスの作業性がよい。
【００１６】
請求項３に記載の発明では、竪材は既存の壁体に取り付け、別途地面に固定した支柱を設ける必要がなく、且つ既存の壁体を取り除くことなく施工できるので、施工が容易である。
上緑化パネルは第１固定部材に係止し、下緑化パネルは第２固定部材に係止により固定しているので、各パネルの取り付け及び取り外しが容易であり、施工し易く且つメンテナンスも容易である。
また、緑化パネルは下部が上部よりも前方に出るように傾斜しているから、上下に設けた各緑化パネルのそれぞれが雨水や日光を受けやすく、栽培環境の向上を図ることができる。
緑化パネルの上下に第１〜第３の各固定部材を取り付ければよく、固定部材で緑化パネルの四方を囲む必要がないので、施工し易い。
【図面の簡単な説明】
【図１】図３に示す緑化パネル装置の縦断面図である。
【図２】図３に示す緑化パネル装置のＡ−Ａ断面図である。
【図３】本発明の実施の形態にかかる緑化パネル装置の平面図である。
【符号の説明】
１    緑化パネル装置
３    上緑化パネル
５    下緑化パネル
７    壁体
９    竪材固定具
１１  竪材
１３  パネル固定具
１５  水受け具
２９  被係止部
３１  上パネル係止部
３３  パネル受け部
３５  載置部
４７  第１固定部材
４９  第２固定部材
５１  第３固定部材
５３  上部裏面当接部
５７  下緑化パネル係止部
６３  下部裏面当接部
【図１】
0003800620.tif 000002
【図２】
0003800620.tif 000003
【図３】
0003800620.tif 000004